【手続補正書】
【提出日】平成19年3月30日(2007.3.30)
【手続補正１】
【補正対象書類名】特許請求の範囲
【補正対象項目名】全文
【補正方法】変更
【補正の内容】
【特許請求の範囲】
【請求項１】
遊技媒体の貸出基準となる有価価値が関連付けられた記録媒体を発行する発行処理、もしくは記録媒体に関連付けられた有価価値に対して有価価値を加算する加算処理を実施する遊技システムにおいて、
記録媒体の発行処理を実施させる場合の指示額、もしくは加算処理を実施させる場合の指示額を選択するための複数の選択スイッチと、
発行処理もしくは加算処理を行う販売待機モード及び設定入力を行うメンテナンスモードに切り替え可能に構成した発行制御部と
を備え、前記発行制御部は、
前記メンテナンスモードにおいて、複数の選択スイッチ個々に対して指示額とその指示額を選択可能な決済方法との対応付けを行うための設定入力画面を表示する一方、選択スイッチに対して指示額と決済方法との対応付けが設定入力された場合にこれを可否条件としてメモリに格納する処理を実施し、
前記販売待機モードにおいて、紙幣が投入されたことを検出した場合、もしくはデビットカードが挿入されたことを検出した場合、前記可否条件の設定内容に従ってそれぞれの決済方法で選択が可能であると設定された指示額に対応する選択スイッチを有効化し、該有効化した選択スイッチがＯＮ操作された場合、ＯＮ操作された選択スイッチに対応付けられた指示額に相当する有価価値が関連付けられた記録媒体を発行する発行処理を実施可能、もしくは記録媒体に関連付けられた有価価値に対してＯＮ操作された選択スイッチに対応付けられた指示額に相当する有価価値の加算処理を実施可能とする
ことを特徴とする遊技システム。
【請求項２】
遊技媒体の貸出基準となる有価価値が関連付けられた記録媒体を発行する発行処理、もしくは記録媒体に関連付けられた有価価値に対して有価価値を加算する加算処理を実施する遊技システムにおいて、
記録媒体の発行処理を実施させる場合の指示額、もしくは加算処理を実施させる場合の指示額を選択するための複数のボタンを表示するタッチパネル式の液晶表示器と、
発行処理もしくは加算処理を行う販売待機モード及び設定入力を行うメンテナンスモードに切り替え可能に構成した発行制御部と
を備え、前記発行制御部は、
前記メンテナンスモードにおいて、複数のボタン個々に対して指示額とその指示額を選択可能な決済方法との対応付けを行うための設定入力画面を表示する一方、ボタンに対して指示額と決済方法との対応付けが設定入力された場合にこれを可否条件としてメモリに格納する処理を実施し、
前記販売待機モードにおいて、紙幣が投入されたことを検出した場合、もしくはデビットカードが挿入されたことを検出した場合、前記可否条件の設定内容に従ってそれぞれの決済方法で選択が可能であると設定された指示額に対応するボタンを前記液晶表示器に表示し、該表示したボタンがＯＮ操作された場合、ＯＮ操作されたボタンに対応付けられた指示額に相当する有価価値が関連付けられた記録媒体を発行する発行処理を実施可能、もしくは記録媒体に関連付けられた有価価値に対してＯＮ操作されたボタンに対応付けられた指示額に相当する有価価値の加算処理を実施可能とする
ことを特徴とする遊技システム。
【請求項３】
遊技媒体の貸出基準となる有価価値が関連付けられた記録媒体を発行する発行処理、もしくは記録媒体に関連付けられた有価価値に対して有価価値を加算する加算処理を実施する遊技システムにおいて、
記録媒体の発行処理を実施させる場合の指示額、もしくは加算処理を実施させる場合の指示額を選択するための複数の選択スイッチと、
発行処理もしくは加算処理を行う販売待機モード及び設定入力を行うメンテナンスモードに切り替え可能に構成した発行制御部と
を備え、前記発行制御部は、
前記メンテナンスモードにおいて、複数の選択スイッチ個々に対して指示額とその指示額を選択可能な遊技客種別として会員の可否及び非会員の可否との対応付けを行うための設定入力画面を表示する一方、選択スイッチに対して指示額と遊技客種別との対応付けが設定入力された場合にこれを可否条件としてメモリに格納する処理を実施し、
前記販売待機モードにおいて、紙幣が投入されたことを検出した場合、もしくはデビットカードが挿入されたことを検出した場合、会員カード挿入の有無に基づいて遊技客種別を判断し、前記可否条件の設定内容に従ってそれぞれの遊技客種別で選択が可能であると設定された指示額に対応する選択スイッチを有効化し、該有効化した選択スイッチがＯＮ操作された場合、ＯＮ操作された選択スイッチに対応付けられた指示額に相当する有価価値が関連付けられた記録媒体を発行する発行処理を実施可能、もしくは記録媒体に関連付けられた有価価値に対してＯＮ操作された選択スイッチに対応付けられた指示額に相当する有価価値の加算処理を実施可能とする
ことを特徴とする遊技システム。
【手続補正２】
【補正対象書類名】明細書
【補正対象項目名】００１１
【補正方法】変更
【補正の内容】
【００１１】
本発明の請求項１に係る遊技システムは、遊技媒体の貸出基準となる有価価値が関連付けられた記録媒体を発行する発行処理、もしくは記録媒体に関連付けられた有価価値に対して有価価値を加算する加算処理を実施する遊技システムにおいて、記録媒体の発行処理を実施させる場合の指示額、もしくは加算処理を実施させる場合の指示額を選択するための複数の選択スイッチと、発行処理もしくは加算処理を行う販売待機モード及び設定入力を行うメンテナンスモードに切り替え可能に構成した発行制御部とを備え、前記発行制御部は、前記メンテナンスモードにおいて、複数の選択スイッチ個々に対して指示額とその指示額を選択可能な決済方法との対応付けを行うための設定入力画面を表示する一方、選択スイッチに対して指示額と決済方法との対応付けが設定入力された場合にこれを可否条件としてメモリに格納する処理を実施し、前記販売待機モードにおいて、紙幣が投入されたことを検出した場合、もしくはデビットカードが挿入されたことを検出した場合、前記可否条件の設定内容に従ってそれぞれの決済方法で選択が可能であると設定された指示額に対応する選択スイッチを有効化し、該有効化した選択スイッチがＯＮ操作された場合、ＯＮ操作された選択スイッチに対応付けられた指示額に相当する有価価値が関連付けられた記録媒体を発行する発行処理を実施可能、もしくは記録媒体に関連付けられた有価価値に対してＯＮ操作された選択スイッチに対応付けられた指示額に相当する有価価値の加算処理を実施可能とすることを特徴とする。
【手続補正３】
【補正対象書類名】明細書
【補正対象項目名】００１２
【補正方法】変更
【補正の内容】
【００１２】
また、請求項２に係る遊技システムは、遊技媒体の貸出基準となる有価価値が関連付けられた記録媒体を発行する発行処理、もしくは記録媒体に関連付けられた有価価値に対して有価価値を加算する加算処理を実施する遊技システムにおいて、記録媒体の発行処理を実施させる場合の指示額、もしくは加算処理を実施させる場合の指示額を選択するための複数のボタンを表示するタッチパネル式の液晶表示器と、発行処理もしくは加算処理を行う販売待機モード及び設定入力を行うメンテナンスモードに切り替え可能に構成した発行制御部とを備え、前記発行制御部は、前記メンテナンスモードにおいて、複数のボタン個々に対して指示額とその指示額を選択可能な決済方法との対応付けを行うための設定入力画面を表示する一方、ボタンに対して指示額と決済方法との対応付けが設定入力された場合にこれを可否条件としてメモリに格納する処理を実施し、前記販売待機モードにおいて、紙幣が投入されたことを検出した場合、もしくはデビットカードが挿入されたことを検出した場合、前記可否条件の設定内容に従ってそれぞれの決済方法で選択が可能であると設定された指示額に対応するボタンを前記液晶表示器に表示し、該表示したボタンがＯＮ操作された場合、ＯＮ操作されたボタンに対応付けられた指示額に相当する有価価値が関連付けられた記録媒体を発行する発行処理を実施可能、もしくは記録媒体に関連付けられた有価価値に対してＯＮ操作されたボタンに対応付けられた指示額に相当する有価価値の加算処理を実施可能とすることを特徴とする。
【手続補正４】
【補正対象書類名】明細書
【補正対象項目名】００１３
【補正方法】変更
【補正の内容】
【００１３】
また、請求項３に係る遊技システムは、遊技媒体の貸出基準となる有価価値が関連付けられた記録媒体を発行する発行処理、もしくは記録媒体に関連付けられた有価価値に対して有価価値を加算する加算処理を実施する遊技システムにおいて、記録媒体の発行処理を実施させる場合の指示額、もしくは加算処理を実施させる場合の指示額を選択するための複数の選択スイッチと、発行処理もしくは加算処理を行う販売待機モード及び設定入力を行うメンテナンスモードに切り替え可能に構成した発行制御部とを備え、前記発行制御部は、前記メンテナンスモードにおいて、複数の選択スイッチ個々に対して指示額とその指示額を選択可能な遊技客種別として会員の可否及び非会員の可否との対応付けを行うための設定入力画面を表示する一方、選択スイッチに対して指示額と遊技客種別との対応付けが設定入力された場合にこれを可否条件としてメモリに格納する処理を実施し、前記販売待機モードにおいて、紙幣が投入されたことを検出した場合、もしくはデビットカードが挿入されたことを検出した場合、会員カード挿入の有無に基づいて遊技客種別を判断し、前記可否条件の設定内容に従ってそれぞれの遊技客種別で選択が可能であると設定された指示額に対応する選択スイッチを有効化し、該有効化した選択スイッチがＯＮ操作された場合、ＯＮ操作された選択スイッチに対応付けられた指示額に相当する有価価値が関連付けられた記録媒体を発行する発行処理を実施可能、もしくは記録媒体に関連付けられた有価価値に対してＯＮ操作された選択スイッチに対応付けられた指示額に相当する有価価値の加算処理を実施可能とすることを特徴とする。
【手続補正５】
【補正対象書類名】明細書
【補正対象項目名】００１４
【補正方法】削除
【補正の内容】
【手続補正６】
【補正対象書類名】明細書
【補正対象項目名】００１５
【補正方法】変更
【補正の内容】
【００１５】
本発明によれば、遊技媒体の貸出基準となる有価価値が関連付けられた記録媒体を発行する発行処理、もしくは記録媒体に関連付けられた有価価値に対して有価価値を加算する加算処理を実施する遊技システムにおいて、記録媒体の発行処理を実施させる場合の指示額、もしくは加算処理を実施させる場合の指示額を選択するための複数の選択スイッチと、発行処理もしくは加算処理を行う販売待機モード及び設定入力を行うメンテナンスモードに切り替え可能に構成した発行制御部とを備え、前記発行制御部は、前記メンテナンスモードにおいて、複数の選択スイッチ個々に対して指示額とその指示額を選択可能な決済方法との対応付けを行うための設定入力画面を表示する一方、選択スイッチに対して指示額と決済方法との対応付けが設定入力された場合にこれを可否条件としてメモリに格納する処理を実施し、前記販売待機モードにおいて、紙幣が投入されたことを検出した場合、もしくはデビットカードが挿入されたことを検出した場合、前記可否条件の設定内容に従ってそれぞれの決済方法で選択が可能であると設定された指示額に対応する選択スイッチを有効化し、該有効化した選択スイッチがＯＮ操作された場合、ＯＮ操作された選択スイッチに対応付けられた指示額に相当する有価価値が関連付けられた記録媒体を発行する発行処理を実施可能、もしくは記録媒体に関連付けられた有価価値に対してＯＮ操作された選択スイッチに対応付けられた指示額に相当する有価価値の加算処理を実施可能としているため、決済方法に応じて記録媒体の発行処理、もしくは有価価値の加算処理に制限を加えることができるようになる。
【手続補正７】
【補正対象書類名】明細書
【補正対象項目名】００１６
【補正方法】変更
【補正の内容】
【００１６】
また、本発明によれば、遊技媒体の貸出基準となる有価価値が関連付けられた記録媒体を発行する発行処理、もしくは記録媒体に関連付けられた有価価値に対して有価価値を加算する加算処理を実施する遊技システムにおいて、記録媒体の発行処理を実施させる場合の指示額、もしくは加算処理を実施させる場合の指示額を選択するための複数のボタンを表示するタッチパネル式の液晶表示器と、発行処理もしくは加算処理を行う販売待機モード及び設定入力を行うメンテナンスモードに切り替え可能に構成した発行制御部とを備え、前記発行制御部は、前記メンテナンスモードにおいて、複数のボタン個々に対して指示額とその指示額を選択可能な決済方法との対応付けを行うための設定入力画面を表示する一方、ボタンに対して指示額と決済方法との対応付けが設定入力された場合にこれを可否条件としてメモリに格納する処理を実施し、前記販売待機モードにおいて、紙幣が投入されたことを検出した場合、もしくはデビットカードが挿入されたことを検出した場合、前記可否条件の設定内容に従ってそれぞれの決済方法で選択が可能であると設定された指示額に対応するボタンを前記液晶表示器に表示し、該表示したボタンがＯＮ操作された場合、ＯＮ操作されたボタンに対応付けられた指示額に相当する有価価値が関連付けられた記録媒体を発行する発行処理を実施可能、もしくは記録媒体に関連付けられた有価価値に対してＯＮ操作されたボタンに対応付けられた指示額に相当する有価価値の加算処理を実施可能としているため、決済方法に応じて記録媒体の発行処理、もしくは有価価値の加算処理に制限を加えることができるようになる。
【手続補正８】
【補正対象書類名】明細書
【補正対象項目名】００１７
【補正方法】変更
【補正の内容】
【００１７】
また、本発明によれば、遊技媒体の貸出基準となる有価価値が関連付けられた記録媒体を発行する発行処理、もしくは記録媒体に関連付けられた有価価値に対して有価価値を加算する加算処理を実施する遊技システムにおいて、記録媒体の発行処理を実施させる場合の指示額、もしくは加算処理を実施させる場合の指示額を選択するための複数の選択スイッチと、発行処理もしくは加算処理を行う販売待機モード及び設定入力を行うメンテナンスモードに切り替え可能に構成した発行制御部とを備え、前記発行制御部は、前記メンテナンスモードにおいて、複数の選択スイッチ個々に対して指示額とその指示額を選択可能な遊技客種別として会員の可否及び非会員の可否との対応付けを行うための設定入力画面を表示する一方、選択スイッチに対して指示額と遊技客種別との対応付けが設定入力された場合にこれを可否条件としてメモリに格納する処理を実施し、前記販売待機モードにおいて、紙幣が投入されたことを検出した場合、もしくはデビットカードが挿入されたことを検出した場合、会員カード挿入の有無に基づいて遊技客種別を判断し、前記可否条件の設定内容に従ってそれぞれの遊技客種別で選択が可能であると設定された指示額に対応する選択スイッチを有効化し、該有効化した選択スイッチがＯＮ操作された場合、ＯＮ操作された選択スイッチに対応付けられた指示額に相当する有価価値が関連付けられた記録媒体を発行する発行処理を実施可能、もしくは記録媒体に関連付けられた有価価値に対してＯＮ操作された選択スイッチに対応付けられた指示額に相当する有価価値の加算処理を実施可能としているため、遊技客の種別に応じて記録媒体の発行処理、もしくは有価価値の加算処理に制限を加えることができるようになる。